(57)【要約】      （修正有）【課題】外出先でもポーチの置き場所に困らない用具を提供すること。【解決手段】小物入れポーチを固定するためのポーチ保持具１であって、ポーチ保持部材２、及び長さが可変の保持固定部材３を備え、前記ポーチ保持部材２は、銜え止め可能なクリップの形状を有し、前記保持固定部材３は、長方形の板状の形状を有し、延長部材３１及びカバー部材３２を備え、そして、カバー部材３２は、延長部材３１を収納するための収納部を有し、前記延長部材３１が、前記カバー部材３２に収納された状態から、前記保持固定部材３が最大長さになる位置まで、前記延長部材３１及び前記カバー部材３２を連結する留め具３３を中心として回動が可能な構造を備え、前記保持固定部材３が最大長さになるように延長部材３１が回動され長さが延長された場合のカバー部材３２の先端に、前記ポーチ保持部材２が連結されている。【選択図】図１
0003221840.tif 000002
【実用新案登録請求の範囲】
【請求項１】
小物入れポーチを固定するためのポーチ保持具であって、
ポーチ保持部材、及び長さが可変の保持固定部材を備え、
（ａ）前記ポーチ保持部材は、銜え止め可能なクリップの形状を有し、
（ｂ）前記保持固定部材は、長方形の板状の形状を有し、延長部材及びカバー部材を備え、
そして、カバー部材は、延長部材を収納するための収納部を有し、
前記延長部材が、前記カバー部材に収納された状態から、前記保持固定部材が最大長さになる位置まで、前記延長部材及び前記カバー部材を連結する留め具を中心として回動が可能な構造を備え、
前記保持固定部材が最大長さになるように延長部材が回動され長さが延長された場合のカバー部材の先端に、前記ポーチ保持部材が連結されていることを特徴とする、
保持具。
【請求項２】
前記保持固定部材の延長部材が、カバー部材に収納された際にカバー部材から突出する把持部を有することを特徴とする、請求項１に記載の保持具。
【請求項３】
前記保持固定部材のカバー部材が、収納部の開口部辺縁に切欠を有することを特徴とする、請求項１に記載の保持具。
【考案の詳細な説明】
【技術分野】
【０００１】
本考案は、化粧ポーチ、生理用品入れのポーチ等の小物袋類の保持具に関する。
【背景技術】
【０００２】
外出時に、トイレ化粧スペース又は個室内で化粧ポーチ、生理用品入れのポーチ等の小物袋類（以下、ポーチという。）から化粧品又は生理用品を取り出し使用する際に、カウンター等のスペースが無い場合にはポーチの置き場所に困ることがある。
この場合、ポーチを小脇や顎に挟んでおく場合にも、誤ってポーチを落としてしまう不都合が生じ、衛生的にも好ましくない。
【０００３】
トイレ内での物の出し入れの利便性の要求から、例えば、特許文献１のエプロンは、幼児のオムツ替え時に母親が必要なものを取り出し易いように考案された。
【０００４】
ポーチの形態に着目すれば、特許文献２は、任意の場所にクリップを用いて自由に繋ぎとめるポーチを開示している。しかし、当該ポーチはザック内の荷物の整理のためのものであり、また、繋ぎ留める手段とポーチの形状が限られる。
また、特許文献３は、ポーチの少なくとも２箇所に取り付けられた衣類等へのフック手段を持つ止め具を備えるポケット型着脱自在ポーチ具を開示している。
しかし、当該ポーチは衣服に止めて貴重品等を持ち歩くことを目的としており、女性の多種多様な衣服への適用は困難である。
【先行技術文献】
【特許文献】
【０００５】
【特許文献１】特開２０１５−４３９５６号公報
【特許文献２】特開２００２−７８５２１号公報
【特許文献３】実用新案登録第３０４８２１８号公報
【考案の概要】
【考案が解決しようとする課題】
【０００６】
上記のとおり、ポーチの置き場所や使い勝手に困る問題に加えて、一般的に化粧品や生理用品入れのポーチは、勿論、衣服に装着して使用するものではないが、デザインも多種多様で、持つ人の個性も表すファッション性も兼ね備えた物品である。上記特許文献１乃至３のような物品ではデザインが限られ、需要者のニーズに応えることができない。
本考案は、かかる問題に鑑み、外出先でもポーチの置き場所に困らない用具を提供することを課題とする。
【課題を解決するための手段】
【０００７】
本考案の課題は、以下の手段によって達成された。即ち、
＜１＞  小物入れポーチを固定するためのポーチ保持具であって、
ポーチ保持部材、及び長さが可変の保持固定部材を備え、
（ａ）前記ポーチ保持部材は、銜え止め可能なクリップの形状を有し、
（ｂ）前記保持固定部材は、長方形の板状の形状を有し、延長部材及びカバー部材を備え、
そして、カバー部材は、延長部材を収納するための収納部を有し、
前記延長部材が、前記カバー部材に収納された状態から、前記保持固定部材が最大長さになる位置まで、前記延長部材及び前記カバー部材を連結する留め具を中心として回動が可能な構造を備え、
前記保持固定部材が最大長さになるように延長部材が回動され長さが延長された場合のカバー部材の先端に、前記ポーチ保持部材が連結されていることを特徴とする、
保持具。
＜２＞  前記保持固定部材の延長部材が、カバー部材に収納された際にカバー部材から突出する把持部を有することを特徴とする、＜１＞項に記載の保持具。
＜３＞  前記保持固定部材のカバー部材が、収納部の開口部辺縁に切欠を有することを特徴とする、＜１＞項に記載の保持具。
【０００８】
即ち、本考案の小物袋物保持具には、ポーチ保持部材、長さが可変の板状の保持固定部材を備え、及び前記ポーチ保持部材及び前記保持固定部材が連結されていることを特徴とする。
【０００９】
本考案において、本考案に係る保持具に留めて使用される単にポーチと称される小物袋類又は小物入れとは、化粧品、化粧用具、生理用品等を収納するための小型のファスナー又はフリップ蓋等を有する小型袋物又は単にバッグ、巾着等の小型袋物を指すが、これらに限定されるものではない。本考案における保持具は、当該ポーチを任意の場所に固定して保持する用具であって、ポーチをクリップで留めて使用する用具である。
【００１０】
本考案の保持具に使用されるポーチ保持部材は、銜え止め可能なクリップの形状を有する。該クリップの形状は、通常の大きさのポーチを掴み、銜え止めし、又は支えることができるものであれば、特に限定されるものではない。
例えば、用箋挟（クリップボード）に用いられる様な銜え止め式のクリップ形状、目玉クリップ（蛇の目クリップ）、ターンクリップ（ダブルクリップ）、洗濯ばさみ型クリップ等の形状のクリップが、本考案の保持具に関するポーチ保持部材として好ましく使用される。
【００１１】
該クリップの大きさは、ポーチを有利に銜え止めし保持するためには、物を銜え止めする部分の大きさは特に限定されるものではないが、例えば、クリップ幅は、好ましくは０．５乃至５ｃｍ、より好ましくは２乃至３ｃｍ、最も好ましくは２．５ｃｍである。
クリップ形状は、角型、丸型、楕円形等のつまみ部分を有する等いずれの形状でも良く、特に限定されるものではない。また、該クリップは任意に装飾を備えていても良い。
【００１２】
本考案による保持具に用いられる保持固定部材は、長方形の形状であり、かつ長さを可変するための折り畳み式の機構を備える。即ち、前記保持固定部材は、長方形の板状の形状を有し、そして、カバー部材、及びカバー部材に設けられた延長形状を収納するための収納部に収納された延長部材からなる。より具体的には、該延長部材とその延長部材を収納するための長辺の片側に開口部を有するカバー部材、及び両者を連結するための特に限定されない留め具部材で構成される。
該折り畳み式機構の構造は、該延長部材が、該カバー部材に収納された状態から、該保持固定部材が最大長さになる位置まで、該延長部材及び該カバー部材を連結する留め具を中心として回動が可能な構造を備える。そして、カバー部材内に挿入されている延長部材を回動させることにより、保持固定部材をその最大長さまで延長させることができる。
【００１３】
前記保持固定部材の長さは、トイレ個室内においてトイレットペーパーホルダー本体と蓋部との隙間に挿入することを考慮して、折り畳み機構を回動・展開した状態の全長は、約１５乃至２５ｃｍ、好ましくは全長約２０ｃｍ程度の長さを必要とする。
したがって、本考案の保持固定部材を板状の延長部材とカバー部材を回動したたんで延長部材を収納した状態のカバー部材の長さは、好ましくは約７乃至１５ｃｍ、より好ましくは９乃至１３ｃｍ、最も好ましくは１２ｃｍほどとなるが、これらに限定されるものではない。
【００１４】
前記保持固定部材の幅も、特に限定されるものではないが、ポーチが通常横幅を有するものであるため、本考案の保持具に保持した場合、保持したい場所に置かれた状態から左右斜めにずれることはないため、大きな幅を必要としない。
前期保持固定部材は、例えば、前記ポーチ保持部材のクリップの大きさに見合う幅を適宜選択することができるが、例えば、好ましくは１乃至３ｃｍ、より好ましくは２乃至３ｃｍ、最も好ましくは２．５ｃｍであるが、これらに限定されるものではない。
【００１５】
前記保持固定部材の厚さも、特に限定されるものではないが、例えば、トイレットペーパーホルダーの隙間に挿入することを考慮して、延長部材の厚みは３ｍｍまでの厚みでることを要し、好ましくは１乃至２ｍｍ、より好ましくは１ｍｍである。カバー部材の厚みは５ｍｍまでの厚みで良く、好ましくは１乃至３ｍｍであるが、これらに限定されるものではない。また、該保持固定部材も、任意に装飾を備えていても良い。
【００１６】
本考案による保持具に使用される保持固定部材の延長部材には、カバー部材に収納された際にカバー部材から突出する把持部を有することができる。これは、折り畳んだ収納状態からの引き出しのための把持部である。把持部の形状は、角を有する凸部であっても曲線状の凸部であってもよい。また、カバー部材の全長に亘り、延長部材が当該延長部材の収納時にカバー部材の全長に亘りはみ出すようにカバー部材よりも幅の太い板状であっても良い。折り畳んだ収納状態から延長部材が引き出し易い形状を有するものであれば特に限定されるものではない。
【００１７】
本考案による保持具に使用される保持固定部材のカバー部材は、前記把持部と共に又はこれに代えて、開口部辺縁に切欠を有することができる。これは、折り畳んだ収納状態から延長部材を引き出し易くするための切欠である。切欠又はそのような凹部形状は、角を有する切欠、曲線状の切欠等、特に限定されるものではない。
【００１８】
本考案による保持具に使用される保持固定部材には、折り畳んだ収納状態から回動展開した際に、回動展開した状態を保持するための係止部を更に備えることができる。
例えば、該係止部は、ストッパー等の構造を有し、展開した最大長さの保持固定部材が固定される機構であれば、特に限定されるものではない。例えば、凹部と凸部を夫々延長部材及びカバー部材に設けた凹部と凸部が嵌合するようなストッパー機構、マグネット式の機構等が挙げられる。
例えば、凹凸部分によるストッパー機構を設ければ、両者の連結部近くの延長部材の凹部が、カバー部材の内側の凸部と嵌合することにより、延長部材を最大角度１８０℃に回動展開した際にその形態が固定される。
【００１９】
本考案によるポーチ保持具は、前記保持固定部材が最大長さになるように回動され長さが延長された場合のカバー部材の先端に、前記ポーチ保持部材が連結固定されている。
前記ポーチ保持部材と前記保持固定部材とを連結する手段は、ねじ止め、接着による固定、紐等による連結等、特に限定されるものではない。好ましくは、携帯に便利な形となるようにねじ止め又は接着により連結される。
【００２０】
本考案に係る保持具の材質は、特に限定されるものではないが、例えば、プラスチック、木、金属等が挙げられるが、これらに限定されるものではない。また、本考案の保持具の各部材が同一素材であっても異なっていても良い。
【考案の効果】
【００２１】
上記構成をなす本考案の保持具によれば、任意の場所にポーチ類を保持し、外出先でも安心して小物を出し入れ・使用することができる。例えば、トイレ個室内のトイレットペーパーホルダーに本考案の保持具を差し込みポーチを保持する他、バッグの開口部やポケットに本考案の保持具を差込みポーチを保持することによりその都度ポーチをバッグから取り出さないで済む。
また、本考案の保持具自体、保持固定部が折り畳み機構を備えるため、ポーチに収納可能な大きさで携帯性に優れる。
さらにまた、ポーチの置き場所があり本考案品を使用する必要が無いときはこれを使用せず、本来のポーチの外見のまま、ポーチを持ち歩き使用することができる。
【図面の簡単な説明】
【００２２】
【図１】本考案の保持具の正面図である。
【図２】本考案の保持具の右側面図である。
【図３】本考案の保持具の収納時の１つの形態を示す図である。
【図４】本考案の保持具のカバー部に切欠を有する１つの形態を示す図である。
【図５】本考案の保持具の延長部材に把持部を有する１つの形態を示す図である。
【図６】本考案の保持具の１つの使用態様に係る使用方法を示す図である。
【考案を実施するための形態】
【００２３】
以下、本考案の実施の形態について、図面を参照して詳細に説明する。
【００２４】
図１は、本考案のポーチ保持具１の正面図である。図中に示すように、本考案の保持具は、クリップの形状のポーチ保持部材２、長さが可変の保持固定部材３からなり、そして、前記ポーチ保持部材２及び前記保持固定部材３が連結部４で連結されている。
そして、前記保持固定部材３は、長方形の板状であり、且つ、延長部材３１及びカバー部材３２を有し、そして止め具３３を有することで、長さを可変するための折り畳み式の機構を備える。前記連結部４は、前記ポーチ保持部材２と前記保持固定部材３とを連結し固定する。
図１及び２は、保持固定部材が最大長さまで展開された状態を示す図である。
図２は、本考案の保持具の右側面図である。クリップ２１は、カバー部材３２の先端に連結されており、延長部材３１の元端は、カバー部材３２に収納可能なように、カバー部材３２の元端に止め具３３により連結されて保持固定部材３をなす。カバー部材３２は、右側面に開口部３５を有し、収納部３４を成す。
【００２５】
図３は、本考案の保持具の収納される態様を示す図である。前記保持固定部材３が、延長部材３１そのカバー部材３２、及び延長部材３１とそのカバー部材３２を連結する留め具３３部材を有しているため、連結部４を中心として延長部材３１とカバー部材３２を展開させ長くしたり折り畳み収納することができる。携帯時には延長部材３１がカバー部材３２の収納部３４に収納されるように図中の矢印の方向へ折り畳むため、全長が使用時の約１／２の長さとなる。
【００２６】
図４は、本考案の保持具の保持固定部材３を構成するカバー部材３２が、開口部３５に切欠５を有する場合の一形態を示す図である。この切欠５部分から露出する延長部材３１をカバー部材３２から引き出し、保持固定部材３を最大長さまで延長することができる。
図５は、本考案の保持具の延長部材３１に把持部６を有する１つの形態を示す図である。図中に示すように、該延長部材の長辺上に有する把持部６は、カバー部材３２に収納された際にカバー部材３２の開口部３５から突出する形状を有する。この把持部６を持ち、延長部材３１をカバー部材３２から引き出し、保持固定部材３を最大長さまで延長することができる。
【００２７】
図６は、本考案の保持具を用いて、トイレ個室内のトイレットペーパーホルダーの蓋部７１の上にポーチ８を固定して置く使用態様を示す。
ここで、図６中、（１）最大長さに展開した本考案のポーチ保持具１は、トイレットペーパーホルダー７の蓋部７１の隙間に図中の太矢印方向へ差し込まれる。
（２）それにより、保持固定部材３の最大長さのおよそ１／２がトイレットペーパーホルダーの内部に挿入された状態となる。保持固定部材３の全長は、このように、ポーチ８の高さと差し込む隙間に挿入される長さを勘案して決定されている。
そこで、ポーチ８をクリップ２１で止め、トイレットペーパーホルダー７の蓋部７１の上に載せる。
（３）なお、トイレットペーパーホルダー７の蓋部７１は、装着されているロール紙７２の残量に起因するロールの直径によって傾斜角度が変化し得るが、本考案の保持具を用いることにより、トイレットペーパーホルダー７の蓋部７１の傾斜が如何なる角度となっていても、その上に置いたポーチ８がトイレットペーパーホルダー７からずり落ちる虞が無い。
【符号の説明】
【００２８】
１  ポーチ保持具
２  ポーチ保持部材
２１  クリップ
３  保持固定部材
３１  延長部材
３２  カバー部材
３３  止め具
３４  収納部
３５  開口部
４  連結部
５  切欠
６  把持部
７  トイレットペーパーホルダー
７１  蓋部
７２  ロール紙
８  ポーチ
【図１】
0003221840.tif 000003
【図２】
0003221840.tif 000004
【図３】
0003221840.tif 000005
【図４】
0003221840.tif 000006
【図５】
0003221840.tif 000007
【図６】
0003221840.tif 000008